(57)【要約】【課題】本発明はシリンダー錠の取付補強構造に関し、プライヤー・レンチなどによりシリンダー錠をくわえて破壊するこがと困難となるように、構造的に補強することが課題である。【解決手段】外筒と、該外筒内に回動自在に挿着される内筒と、前記外筒における開閉扉の外面板からの突出部の全体を囲繞する化粧リングとでなり、前記外面板に設けられたシリンダー錠用の孔に装着されるシリンダー錠６の取付構造に、前記外面板と前記化粧リングの底面との間に介在され、前記化粧リングの下部の全周囲を囲繞する化粧リング座７と、前記化粧リングを前記外面板に固定するため外面板内側に配設される化粧リング座固定板８と、前記外面板に前記化粧リング座と前記化粧リング座固定板とを挟装させる化粧板固定手段９と、を配設したシリンダー錠の取付補強構造１とする。【選択図】図１
2005126995.tif 000002
【特許請求の範囲】
【請求項１】
外筒と、該外筒内に回動自在に挿着される内筒と、前記外筒における開閉扉の外面板からの突出部の全体を囲繞する化粧リングとでなり、前記外面板に設けられたシリンダー錠用の孔に装着されるシリンダー錠の取付構造に、
前記外面板と前記化粧リングの底面との間に介在され、前記化粧リングの下部の全周囲を囲繞する化粧リング座と、
前記化粧リング座を前記外面板に固定するため外面板内側に配設される化粧リング座固定板と、
前記外面板に前記化粧リング座と前記化粧リング座固定板とを挟装させる化粧板固定手段と、
を配設したこと、
を特徴とするシリンダー錠の取付補強構造。
【請求項２】
固定手段は、固定ネジ、若しくは、化粧リング座と化粧リング座固定板とのネジ嵌合であること、
を特徴とする請求項１に記載のシリンダー錠の取付補強構造。
【請求項３】
固定手段における固定ネジの長さ、若しくは、化粧リング座のスカート部の長さは、シリンダー錠の奥側に配設される錠ケースの側面に当接する長さであること、
を特徴とする請求項２に記載のシリンダー錠の取付補強構造。
【発明の詳細な説明】
【技術分野】
【０００１】
本発明は、住宅用扉又は住宅用玄関錠におけるシリンダー錠の扉取付構造において、バール等による暴力的破壊に対する取付補強構造に関するものである。
【背景技術】
【０００２】
従来、扉に取り付けられるシリンダー錠の取付構造は、図６に示すように、扉２０の孔に円柱部２１ａが挿着されて溶接等の手段で固着されるとともに、前記円柱部２１ａよりも大きな直径の円錐台部２１ｂが一体にされてなる飾りリング２１がある。該飾りリング２１の中央貫通孔２１ｃに直径を途中で細くして段部２１ｄが形成されており、そこにシリンダー錠２４の外筒２２が挿入されてその外筒２２の前端部の鍔部２２ａで係止され、該外筒２２に内筒２３が回動自在に挿着されている。
【０００３】
前記飾りリング２１は、ドリル破壊防止のため、焼き入れ処理がなされており、前記鍔部２２ａや鍵孔２３ａも焼き入れ処理がなされている。前記シリンダー錠２４は、例えば、前記外筒２２の後端面を前記扉２０の内部框体部にネジ止め等して固定される。
【０００４】
前記シリンダー錠においては、鍵孔に所定の鍵を挿入して内筒を解錠方向に回転させ、該内筒と共に回転する掛け金具により、例えば、扉のデッドボルトが扉側端面から突出若しくは没入して、施錠・解錠を行うものである。また、破壊行為に対しては、前記飾りリングにより、ドリル等による前記シリンダー錠の破壊を防止する、というものが知られている（特許文献１参照）。
【特許文献１】特開２００２−２４２４９５号公報
【０００５】
しかしながら、現在の住宅用扉等の扉は、アルミニウムなどの強度の弱い材料であったり、板厚の薄い鋼板などからできていたりする。また、前記シリンダー錠の材質も、アルミダイカストや真鍮などの強度の弱い材質であったりする。そのため、例えば、前記扉を変形させて、飾りリングと扉との隙間に無理矢理バールなどをこじ入れてシリンダー錠を破壊したり、プライヤー，レンチなどでシリンダーをくわえてもぎ取ったりして扉を開けてしまう等、暴力的な破壊に弱い場合がある。
【０００６】
このように、従来のシリンダー錠の扉取付構造には、強度的な点において解決すべ課題がある。本発明はこのような課題を解決すべく提案されたものである。
【発明の開示】
【発明が解決しようとする課題】
【０００７】
解決しようとする問題点は、シリンダー錠を取り付ける扉の強度を補強しなければならない点である。
【課題を解決するための手段】
【０００８】
本発明に係るシリンダー錠の取付補強構造の要旨は、 外筒と、該外筒内に回動自在に挿着される内筒と、前記外筒における開閉扉の外面板からの突出部の全体を囲繞する化粧リングとでなり、前記外面板に設けられたシリンダー錠用の孔に装着されるシリンダー錠の取付構造に、前記外面板と前記化粧リングの底面との間に介在され、前記化粧リングの下部の全周囲を囲繞する化粧リング座と、前記化粧リング座を前記外面板に固定するため外面板内側に配設される化粧リング座固定板と、前記外面板に前記化粧リング座と前記化粧リング座固定板とを挟装させる化粧板固定手段と、を配設したことである。
【０００９】
また、前記固定手段は、固定ネジ、若しくは、化粧リング座と化粧リング座固定板とのネジ嵌合であること、；
更に、前記固定手段における固定ネジの長さ、若しくは、化粧リング座のスカート部の長さは、シリンダー錠の奥側に配設される錠ケースの側面に当接する長さであることを含むものである。
【発明の効果】
【００１０】
本発明のシリンダー錠の取付補強構造は、外筒と、該外筒内に回動自在に挿着される内筒と、前記外筒における開閉扉の外面板からの突出部の全体を囲繞する化粧リングとでなり、前記外面板に設けられたシリンダー錠用の孔に装着されるシリンダー錠の取付構造に、前記外面板と前記化粧リングの底面との間に介在され、前記化粧リングの下部の全周囲を囲繞する化粧リング座と、前記化粧リング座を前記外面板に固定するため外面板内側に配設される化粧リング座固定板と、前記外面板に前記化粧リング座と前記化粧リング座固定板とを挟装させる化粧板固定手段と、を配設したので、前記シリンダー錠用の孔の周囲が化粧リング座と化粧リング座固定板とで挟装されて、力学的に強度が補強される。また、化粧リング座によって、化粧リングの下部が囲繞されて、プライヤー，レンチ等の工具でシリンダー錠をくわえ込むことが困難になる。よって、プレイヤー若しくはレンチ等を用いてシリンダー錠をくわえて暴力的にもぎ取ったり、ハンマー等で叩き落としたりすることが困難となって犯罪が防止される。
【００１１】
また、固定手段は、固定ネジ、若しくは、化粧リング座と化粧リング座固定板とのネジ嵌合にすることで、開閉扉の外面板に化粧リング座を取付ける作業が容易になったり、部品点数を削減することができる。
更に、固定手段における固定ネジの長さ、若しくは、化粧リング座のスカート部の長さは、シリンダー錠の奥側に配設される錠ケースの側面に当接する長さであることにより、錠ケースが扉の側端面の取付部を中心にして水平方向に揺動されるのが阻止される。
よって、シリンダー錠がプライヤー等で引っ張られても、前記錠ケースに連結・固定されているシリンダー錠が引き出されることが無く、化粧リングの底部と扉の外面板との間に隙間が生じないので、シリンダー錠をプライヤー等でくわえ込むことが困難となって、犯罪防止効果が向上するものである。
【発明を実施するための最良の形態】
【００１２】
本発明の目的を、化粧リング座と化粧リング座固定板とを開閉扉のシリンダー取付用の孔に挟装状態にして固定することで、強度的な補強を実現した。
【実施例１】
【００１３】
本発明に係るシリンダー錠の取付補強構造１は、図１乃至図２に示すように、外筒２と、該外筒２内に回動自在に挿着される内筒３と、前記外筒２における開閉扉４の外面板４ａからの突出部の全体を囲繞する化粧リング５とでなり、前記外面板４ａに設けられたシリンダー錠６用の孔４ｂに装着されるシリンダー錠６の取付構造である。
【００１４】
そして、更に、前記外面板４ａと前記化粧リング５の底面との間に介在され、前記化粧リング５の下部の全周囲を囲繞する金属製の化粧リング座７と、前記化粧リング座７を前記外面板４ａに固定するため外面板内側に配設される金属製の化粧リング座固定板８と、前記外面板４ａに前記化粧リング座７と前記化粧リング座固定板８とを挟装させる化粧板固定手段９とが配設されている。
【００１５】
なお、図中に示す、符号１０はハンドル、符号１１は錠ケース、符号１２はデッドボルト、符号１３はラッチをそれぞれ示している。
【００１６】
この実施例１では、前記固定手段９は、固定ネジ９である。また、前記化粧リング座７は、全体が所要厚みの円盤体であり、その中央部にシリンダー錠挿通用の孔７ａが設けられ、その孔７ａの周囲の４カ所に、前記固定ネジ９挿通用のネジ孔７ｂが設けられている。更に、前記円盤体の外周部には起立させたフランジ部７ｃが設けられている。
【００１７】
前記化粧リング座７と、化粧リング座固定板８とは、開閉扉４の外面板４ａの孔４ｂに対して、錠ケース１１が所定の孔に挿着される前に、固定ネジ９で挟装状態に固定することができる。また、この固定ネジ９のネジ部の長さは、図２に示すように、固定完了状態で錠ケース１１の側面に、ネジ先端面がちょうど当接する長さになっている。
【実施例２】
【００１８】
実施例２のシリンダー錠の取付補強構造１ａは、図３乃至図４に示すように、前記実施例１に対して、固定手段９が異なる構造になっているものである。即ち、化粧リング座７に、開閉扉４の孔４ｂに嵌装される円筒状のスカート部７ｄが錠ケース１１側に延ばされて設けられる。該スカート部７ｄの外周面には、全周に亘ってネジ溝が刻設されている。また、このスカート部７ｄの長さは、前記孔４ｂに取り付けられた状態で、錠ケース１１の側面にスカート部７ｄの先端面がちょうど当接する長さになっている。
【００１９】
また、化粧リング座固定板８ａは、所要厚さの金属製リング体であり、その内径壁面には、ネジ溝８ｂが刻設されていて、前記スカート部７ｄのネジ溝と螺合するようになっている。また、その外径寸法は、前記孔４ｂよりも大きい寸法である。
【００２０】
前記化粧リング座７と、化粧リング座固定板８ａとは、錠ケース１１が開閉扉４に装着される前に、当該開閉扉４の室内側の孔（図示せず）から前記化粧リング座固定板８ａが扉内に入れられて、前記化粧リング座７のスカート部７ｄのネジ溝と螺合されて、外面板４ａを挟装するものである。
【００２１】
上記実施例１と実施例２とにより、図５に示すように、シリンダー錠６の化粧リング５の下部を、化粧リング座７のフランジ部７ｃで囲繞し、開閉扉４の孔４ｂの周囲に、化粧リング座７とその固定板８，８ａとで挟装させて力学的強度が向上される。また、固定用の固定手段９により、不正な解錠操作においてシリンダー錠６が引っ張られても、前記固定手段９の先端部が錠ケース１１の側面に当接しているので、開閉扉４の側端面の取付部を中心にして水平方向に錠ケース１１が揺動するのを阻止する。よって、プライヤー等でシリンダー錠６をくわえるのが困難となって、防犯効果が向上するものである。
【図面の簡単な説明】
【００２２】
【図１】本発明の実施例１における、シリンダー錠の取付補強構造１を一部分解して示す斜視図である。
【図２】同本発明の実施例１における断面図である。
【図３】同本発明の実施例２における、シリンダー錠の取付補強構造１ａを一部分解して示す斜視図である。
【図４】同本発明の実施例２における断面図である。
【図５】同本発明のシリンダー錠の取付補強構造の斜視図である。
【図６】従来例に係るシリンダー錠の取付構造を示す断面図（Ａ）と、正面図（Ｂ）である。
【符号の説明】
【００２３】
１，１ａ      シリンダー錠の取付補強構造、
２            外筒、
３            内筒、
４            開閉扉、
５            化粧リング、
６            シリンダー錠、
７            化粧リング座、          ７ａ          孔、  
７ｂ          ネジ孔、                ７ｃ          フランジ部、
７ｄ          スカート部、
８，８ａ      化粧リング座固定板、    ８ｂ          ネジ溝、
９            固定ネジ、
１０          ハンドル、
１１          錠ケース、
１２          デッドボルト、
１３          ラッチ。
【図１】
2005126995.tif 000003
【図２】
2005126995.tif 000004
【図３】
2005126995.tif 000005
【図４】
2005126995.tif 000006
【図５】
2005126995.tif 000007
【図６】
2005126995.tif 000008